(57)【要約】      （修正有）【課題】おはしょり部および衣文の抜き加減を容易に着付けることを可能とし、一人で簡単に着付けすることができる簡易和服セットを提供する。【解決手段】上衣部１０とおはしょり部とスカート部に３分割される簡易和服であって、上衣部１０及びスカート部の上におはしょり部を着用する。上衣部１０背面で帯を着付けた場合に帯の下に隠れてしまう部分へ伸縮自在な紐の中央部分を固定し、紐の両端を身体まわりで着脱可能に留める。さらに、上衣部１０の内側に着脱可能な長襦袢の半襟部２０a、２０b、袖口部２２a、２２b、袖の振り部２１a、２１b、のいずれか１つ以上を備え、飾り結びを形どった帯部と胴巻部からなる帯を備える。【選択図】図３
0003210446.tif 000002
【実用新案登録請求の範囲】
【請求項１】
上衣部とおはしょり部とスカート部に３分割される簡易和服であって、前記上衣部及び前記スカート部の上に前記おはしょり部を着用する簡易和服。
【請求項２】
請求項１に記載の簡易和服であって、前記上衣部背面で帯を着付けた場合に帯の下に隠れてしまう部分へ伸縮自在な紐の中央部分を固定し、前記紐の両端を身体まわりで脱着可能に留めることを特徴とする簡易和服。
【請求項３】
請求項１または請求項２に記載の簡易和服であって、さらに、前記上衣部の内側に脱着可能な長襦袢の半衿部、袖口部、袖の振り部のいずれか１つ以上を備えることを特徴とする簡易和服セット。
【請求項４】
請求項３に記載の簡易和服セットであって、さらに、飾り結びを形どった帯部と胴巻部からなる帯を備えることを特徴とする簡易和服セット。
【請求項５】
請求項４に記載の簡易和服セットであって、さらに、帯板に帯揚げを結んだ状態のものを脱着可能な状態で備えることを特徴とする簡易和服セット。
【考案の詳細な説明】
【技術分野】
【０００１】    本考案は、着付けが容易な簡易和服および簡易和服セットに関するものである。
【背景技術】
【０００２】  伝統的な和服は、直線で構成された部分が多く身体にフィットさせ綺麗に着こなすためには高い着付け技術が必要である。また和服の特徴的な美しさを表す部分として、おはしょり部および後ろ衿を反らす所謂衣紋の抜き加減などがある。そしてこれらの着付け状態が和服の美しさを左右する重要なポイントであるが、これらは何れも一人で着付けするは困難な要素でもある。これらの改善策として特許文献１に示すような二部式の和服などが提案されている。
【先行技術文献】
【特許文献】
【０００３】
【特許文献１】特開２００４−１３７６０８号公報
【考案の概要】
【考案が解決しようとする課題】
【０００４】  前記二部式の和服においても、おはしょり部を折り返し床面とほぼ平行に身体全周に渡って整えかつ最後に締める帯下端より身体全体とのバランスを考慮した長さに揃えることは容易ではない。また衣紋の抜きを整えるため上衣衿と一体となっているおはしょり部を長めに製作し衣紋を抜くことでおはしょり部が持ち上がっても床面とおはしょり部下端が床面とほぼ平行になるように工夫はされてはいるが衣紋の抜き加減が固定されてしまう欠点がある。本考案が解決しようとする課題は、和服の美しさのポイントである、おはしょり部および衣文の抜き加減を容易に着付けることを可能とし、またさらに部分的長襦袢、帯セット、補正具を追加し一人で簡単に着付けすることができるにもかかわらず従来の和服と変わりない外見を得られることを特徴とする簡易和服および簡易和服セットを提供することである。
【課題を解決するための手段】
【０００５】  前記課題を解決するため第１の考案では上衣部とおはしょり部とスカート部に３分割される簡易和服であって、前記上衣部及び前記スカート部の上に前記おはしょり部を着用することにより、おはしょりの位置を自在に設定することが出来る。【０００６】    第２の考案では請求項１に記載の簡易和服であって、前記上衣部背面で帯を着付けた場合に帯の下に隠れてしまう部分へ伸縮自在な紐の中央部分を固定し、前期紐の両端を身体下方へ脱着可能に結び留めることを特徴とする簡易和服により衣紋の抜きを自在に簡便に調節することが出来る。【０００７】  第３の考案では請求項１または請求項２に記載の簡易和服であってさらに、前記上衣部の内側に脱着可能な長襦袢の衿部、袖口部、袖の振り部のいずれか１つ以上を備えることを特徴とする簡易和服セットにより長襦袢の着付けを省略することが出来る。【０００８】  第４の考案では請求項３に記載の簡易和服セットであってさらに、飾り結びを形どった帯部と胴巻部を備えることを特徴とする簡易和服セットにより帯結びを簡便にすることが出来る。【０００９】  第５の考案では、請求項４に記載の簡易和服セットであってさらに、帯板に帯揚げを結んだ状態のものを脱着可能な状態で備えることを特徴とする簡易和服セットにより帯揚げを簡便にすることが出来る。
【考案の効果】
【００１０】  本考案の簡易和服は、和服の美しさの重要なポイントである、おはしょり部の着付けおよび衣紋の抜きを容易に行うことができ、また３分割したことにより一人で着付けする場合であっても従来の和服と変わりない外見を得ることができる。【００１１】  本発明の簡易和服セットはお太鼓結びまたは飾り結びを形どった帯を背中につけ、固定することにより、帯結びの困難さを解消し、一人で着付けする場合であっても従来の帯結びと変わらない外観を得ることができる。【００１２】  本発明の簡易和服セットは帯揚げを結んだ状態で帯板に脱着可能に固定するもので、帯揚げを結ぶ困難さを解消することができる。
【図面の簡単な説明】
【００１３】
【図１】本考案の上衣部を正面から見た図である。
【図２】本考案の上衣部を背面から見た図である。
【図３】本考案の上衣部に脱着可能な長襦袢の半衿部、袖口部、袖の振り部をつけた状態を正面から見た図である。
【図４】本考案の長襦袢の半衿部を正面から見た図である。
【図５】本考案のスカート部を正面から見た図である。
【図６】本考案のおはしょり部を正面から見た図である。
【図７】本考案の飾り結び付帯部を正面から見た図である。
【図８】本考案の帯揚げ付き帯板部を正面から見た図である。
【図９】着付けした状態を正面から見た図である。
【考案を実施するための形態】
【００１４】  本発明の実施形態を、図１〜図９に基づいて説明する。請求項１記載の簡易和服は図１の上衣部１０と図６のおはしょり部４０と図５のスカート部３０の３つで構成され、それぞれは同一の生地で色柄も同様なもので仕立ててある。
【００１５】〈上衣部〉
図１および図２のように上衣部１０は、和服を腰の位置で切断した形状で帯の下で押さえられる長さを有する。図１の前見頃１１ａ、１１ｂ、衿１３ａ、１３ｂ、１３ｃ、袖１２ａ、袖１２ｂ、衽１５ａ、１５ｂ、図２の後ろ見頃１４ａ、１４ｂで構成されている。前記上衣部１０の衿部１３ａ、１３ｂは下前１３ｂ、上前１３ａの順に重ねる。衣紋の固定は、紐１６で調整することが出来る。紐と上衣部背面との紐固定部１７は面ファスナーやボタン、付け紐などで固定しても良い。前記衿合わせには備え付けの紐１６を使わず、腰ひもやコーリンベルトによる調整も可能である。図１の衿部１３ａ、１３ｂは１３ｃの位置で半分に折った状態で縫い留められているが、着る時に折る広衿タイプもあり、衿幅を限定するものではない。
【００１６】  図２の伸縮自在な紐１６は図２の上衣部の後ろ見頃１４ａ、１４ｂで帯を着付けた場合に帯の下に隠れてしまう部分である紐固定部１７で固定され、脇で紐固定部１７より低い位置に取り付けられたベルト通し部１８ａ、１８ｂに通されている。着用するときに紐１６の両端を引いて身体前で結び留めることで紐固定部１７が下方へ引き下がり、女性の和服姿の美しさを決める重要な点となる衿の衣紋部分１３ｃが下がり、容易に衣紋の抜きを調整することが可能になる。また紐１６は結び止めに限らず面ファスナーやボタンなどの着脱自在な固定手段６３ａ、６３ｂをもちいてもよい。衣紋の抜きの調整は紐１６に限定されるものでなく後ろ見頃中央部１４ｃを下に引くことにより調整することも可能である。また紐１６の代わりに従来の着付けに用いる腰ひも、ベルト、コーリンベルトで調整することも可能である。
【００１７】  図３の上衣部１０は長襦袢が和服姿の外観から見える部分である、長襦袢の半衿部２０ａ、２０ｂ、袖振り部２１ａ、２１ｂ、袖口部２２ａ、２２ｂを脱着可能な状態で固定可能となっている。それにより、長襦袢を重ね着した時と変わらない外見を有しながら、初心者には複雑で高い技術を要する長襦袢の着付けを省略することが出来る。前記長襦袢の半衿部２０ａ、２０ｂ、袖の振り部２１ａ、２１ｂ、袖口部２２ａ、２２ｂは必須の構成部ではなく、取り外して従来の長襦袢を着用した上に、上衣部１０を着用することも可能である。また長襦袢の袖は袖口部、振り部に分かれず、着物の袖と同じ形のものを脱着可能状態で固定することも可能である。長襦袢の半衿部は美しい和服のコーディネートに重要な部分であり、かつファンデーションや汗の汚れが付きやすい部分でもある。前記長襦袢の半衿部２０ａ、２０ｂを脱着可能にすることにより色柄が異なる長襦袢衿部と付け替えることが出来、洗濯も容易に行えるという効果がある。長襦袢の半衿部２０ａ。２０ｂ、袖の振り部２１ａ、２１ｂ、袖口部２２ａ、２２ｂは脱着可能な状態で固定されているが、糸で縫い付けることも可能である。糸で縫い付けることでしっかり固定される。図４の長襦袢の半衿部２０ａ、２０ｂは袋状とし、中に衿芯を通し衣紋の形を維持し型崩れを防止することが可能である。着物姿の印象を決める大切な長襦袢の半衿部衿合わせは、固定具６３ｈの位置を上下することにより、体型や好みに応じて変更することが出来る。上衣部は裾部分のスカート部と切り離されているため、着物の上衣部しか見えない袴の着付けの際にも利用でき、その際にはスカート部、おはしょり部の着用を省略することが出来る。
【００１８】〈スカート部〉
図５のスカート部３０は巻きスカートのような形状で、腰部に巻回してスカート部の紐３１ａ、３１ｂを結ぶことによって固定する。着物姿では褄をあげる、といって、スカート部３０の両衽の裾部を上げて着用する。スカート部の両衽の裾部が着たときに上方に傾斜するようにひもを斜めに取り付けている。それにより紐を横に引いて結んだ時に裾部が自然に上方に傾斜させることが出来る。スカート部は上衣部と切り離されているため、自由に裾の高さを上下させることが出来る。モダンな着物姿でブーツを着用する時にはかなり短く着ることも可能である。従来の和服だ
と丈が余って着付けが難しい背の低い成人や子供でも、容易に裾を合わせることが出来る。スカート部の裾が余る場合は、スカート部の上部を折り返して着ることも出来る。
【００１９】〈おはしょり部〉
図６のおはしょり部４０は細長い形状で、図１又は図２の上衣部と図６スカート部を着用した後に、帯の下端部分から６〜８ｃｍ出る高さに、おはしょり部を巻き付けて着用する。固定部６３ｋ、６３ｌで固定する。和服姿ではおはしょりの合わせの部分がでこぼこした状態になり三角形に収めることが困難である。おはしょりの合わせ部４１を図６のように、あらかじめ平らな三角形に織り込んでおくことにより上記問題を解決する。おはしょり部４０を上衣部１０と分割したことにより上下に自在に稼働できるので帯下の高さを調節することが可能になり、特許文献１のような、身長に対して着物が短い時におはしょりが出ないという問題を解決する。着物姿ではおはしょり部の縫い目４２とスカート部の縫い目３２が揃うことが着物姿の美しさの一つとされているが、おはしょり部４０は自在に左右に稼働できるので、おはしょり部の縫い目４２とスカート部の縫い目３２を容易に合わせることが出来る。
【００２０】〈帯部〉
図７の帯５０は、お太鼓結びの形を作った帯部５０ａと腰回り１周分以上の長さを持つ胴巻部５０ｂから構成されている。帯部５０ａと胴巻部５０ｂの端は固定部６３ｍ、６３ｎの面テープ等により脱着可能に固定できるが、紐で固定することも可能である。帯部５０ａに帯枕５１を通し帯枕５１の紐５２ａ、５２ｂを前で結んで背中に固定する。帯５０は、名古屋帯または袋帯、半幅帯等を使用することができ、その長さや幅、材質を限定するものではない。帯結びは図７ではお太鼓結びになっているが、二重太鼓、リボンのような形の変わり結びなども使用でき、その結び方を限定するものではない。帯部５０ａと胴巻部５０ｂは６３ｍ、６３ｎの固定部で固定できるが、固定部の代わりに紐や帯締めで固定することも可能である。図７では帯部５０ａと胴巻部５０ｂが繋がっているが、帯部５０ａと胴巻部５０ｂが切り離され、それぞれを紐等で固定することも可能である。
【００２１】  図８の帯揚げ付き帯板６０は帯板６１と帯揚げ６２により構成され、結んだ形状の帯揚げ６２を固定具６３ｓ、６３ｔで脱着可能に固定されている。帯揚げ６２の
結びは、図８の形だけでなく、花やリボンのなど形や素材を限定するものではない。帯揚げ付き帯板６０を帯５０に直接固定することも出来るが、さらに、帯板６０を挟む形状になった補正具（図示せず）を、使用して上衣部１０、おはしょり部４０の上に巻き付けることにより、身体の凹凸を補正することが出来る。この補正具は、着物の下に装着することも可能である。
【００２２】  つぎに本考案による簡易和服の着付けについて説明する。図３の上衣部１０衿内側に衿芯を通した図４の半衿部２０を固定具６３ｇで固定しておく。次に上衣部を羽おり、両袖を通し、下前部２０ａ、上前部２０ｂの順に６３ｈで固定する。半衿部の交点２０ｃは図９のように左右の鎖骨の間を目安の位置とする。上衣部の衿の下前部１３ｂと上前部１３ａを重ね、図９のように半衿を出す長さ２０ｄが１．５〜２．５ｃｍとなる位置に固定具６３ａ、６３ｂで固定する。上衣部の背面についた伸縮自在な紐１６左右をそれぞれ紐通し部１８ａ、１８ｂへ通し引きながら衣紋の抜きを調整し、身体前で紐を結び止めする。図５のスカート部３０を裾線３３が床すれすれまたはくるぶしの高さになるように位置を決め、上前線３４が右腰骨に来る位置に合わせ、下前部３５より腰に巻き回す。紐３１ａ、３１ｂは後ろで持ち替えて前で結ぶ。前記おはしょり部４０の両端を後ろから前に回し、図９のように衽線４２と前記スカート部の３２が合う位置に固定部６３ｋ、６３ｌで固定する。必ずしも必要ではないが、帯揚げ付き帯板６０を挿入した補正具を腰に巻き付ける。補正具を使用しない場合には帯揚げ付き帯板６０は直接帯５０に固定す。次に帯枕５１を中に通したお太鼓結び帯部５０ａを、背中中央につけ、帯枕紐５２ａ、５２ｂを体の正面で結ぶ。帯胴巻部５０ｂを腰に巻き回し、固定具１６ｍ、１６ｎでお太鼓結び帯部５０ａと固定する。帯締めを正面で結ぶ。帯揚げ部６２の端の固定具６３ｇ、６３ｒと帯枕の固定具６３ｏ、６３ｐを固定する。
【符号の説明】１０      上衣部
１１      前見頃
１２      袖部
１３      衿部
１４      後ろ身頃
１５      衽部
１６      紐
１７      紐固定部
１８      紐通し部
２０      長襦袢の半衿部
２１      袖の振り部
２２      袖口部
３０      スカート部
３１      スカート部の紐
３２      スカート部の衽線
３３      スカート部の裾線
３４      スカート部の上前線
３５      スカート部の下前部
４０      おはしょり部
４１      おはしょりの合わせ部
４２      おはしょりの衽線
５０      帯
５０ａ    帯部
５０ｂ    帯胴巻部
５１      帯枕
５２      帯枕紐
６０      帯揚げ付き帯板
６１      帯板部
６２      帯揚げ部
６３      固定具
【図１】
0003210446.tif 000003
【図２】
0003210446.tif 000004
【図３】
0003210446.tif 000005
【図４】
0003210446.tif 000006
【図５】
0003210446.tif 000007
【図６】
0003210446.tif 000008
【図７】
0003210446.tif 000009
【図８】
0003210446.tif 000010
【図９】
0003210446.tif 000011